(57)【特許請求の範囲】
【請求項１】
ほぼ矩形状のベースと、
上記ベースのほぼ中央部に設けられ、光ディスクを支持および回転駆動する駆動部と、
上記ベース上に設けられた光ピックアップ装置と、を備え、
上記光ピックアップ装置は、上記光ディスクの中心と上記ベースの１つのコーナ部とを通る、上記ベースの対角線方向に沿って移動自在に支持されたキャリッジと、
上記キャリッジ上に設けられ、上記光ディスクに照射する光ビームを出射する光源と、対物レンズを含み、上記光源から出射される光ビームを上記光ディスクの記録面に集束照射し、かつ上記記録面からの反射光を上記光ビームの進行方向と逆方向に通過させる光学系と、上記光ディスクからの反射光を検出する光検出器と、
上記キャリッジから上記キャリッジの移動方向に沿って延出したフレキシブルプリント回路基板と、を備え、
上記キャリッジは、上記ベースのコーナ部とほぼ一致した形状を有し上記キャリッジが上記光ディスクの外周部に移動した際に上記ベースのコーナ部とほぼ重なって位置する突出部を備え、上記突出部は、上記フレキシブルプリント回路基板と対向した切り欠きを有し、上記光源は、上記突出部上に設けられていることを特徴とする光ディスクドライブ装置。
【請求項２】
上記キャリッジの突出部は、上記対物レンズを通り、キャリッジの移動方向と直交する線分からなる斜辺と、互いに直交した他の２辺とを有したほぼ直角三角形状に形成されていることを特徴とする請求項１に記載の光ディスクドライブ装置。
【請求項３】
上記光源および光検出器は、上記突出部の直角部に隣接して設けられていることを特徴とする請求項２に記載の光ディスクドライブ装置。
【請求項４】
上記切り欠きは、上記突出部の１辺に設けられていることを特徴とする請求項１に記載の光ディスクドライブ装置。
【請求項５】
上記光源は、上記対物レンズに対し上記キャリッジの移動方向に並んで設けられていることを特徴とする請求項１ないし４のいずれか１項に記載の光ディスクドライブ装置。
【請求項６】
上記光源は、上記対物レンズを通り上記移動方向に延びた線分に対して、５ｍｍ以内の距離に設けられていることを特徴とする請求項５に記載の光ディスクドライブ装置。
【請求項７】
上記キャリッジを覆って上記ベース上に設けられたカバーを備え、
上記カバーは、上記対物レンズの移動路と対向して設けられた開口を有していることを特徴とする請求項５又は６に記載の光ディスクドライブ装置。
【請求項８】
ほぼ矩形状のベースと、
上記ベースのほぼ中央部に設けられ、第１又は第２光ディスクを選択的に支持および回転駆動する駆動部と、
上記ベース上に設けられた光ピックアップ装置と、
上記キャリッジから上記キャリッジの移動方向に沿って延出したフレキシブルプリント回路基板と、を備え、
上記光ピックアップ装置は、上記光ディスクの中心と上記ベースの１つのコーナ部とを通る、上記ベースの対角線方向に沿って移動自在に支持されたキャリッジと、
上記キャリッジ上に設けられ、上記第１光ディスクに照射する第１波長の第１光ビームを出射する第１光源と、上記第１光ディスクより基板厚が大きい上記第２光ディスクに照射する第２波長の第２光ビームを出射する第２光源と、上記第１および第２光ビームを合成するビームスプリッタと、上記ビームスプリッタから出射する光ビームを上記第１又は第２光ディスクの記録面に集束照射し、かつ上記記録面からの反射光を上記第１および第２光ビームの進行方向と逆方向に通過させる対物レンズと、前記第１および第２光ビームの反射光をそれぞれ検出する第１および第２光検出器と、を備え、
上記キャリッジは、上記ベースのコーナ部とほぼ一致した形状を有し上記キャリッジが上記光ディスクの外周部に移動した際に上記ベースのコーナ部とほぼ重なって位置する突出部を備え、上記突出部は、上記フレキシブルプリント回路基板と対向した切り欠きを有し、
上記第２光源は上記第２光ビームの出射方向が、上記キャリッジの移動方向と直交する方向となるように配置され、上記第１光源は、上記突出上に設けられているとともに、上記第１光ビームの出射方向が上記搬送方向と直交する方向に対して約４５°をなすように配置されていることを特徴とする光ディスクドライブ装置。
【発明の詳細な説明】
【０００１】
【発明の属する技術分野】
この発明は、光記録媒体に信号の記録や再生を行う光ディスクドライブ装置に関し、特に、異なる波長と開口数を用いて光記録媒体の記録、再生を行う光ディスクドライブ装置に関する。
【０００２】
【従来の技術】
例えば光ディスクドライブ装置のように、光ディスクを記録媒体として情報の記録や再生を行うシステムでは、光ピックアップ装置が利用されている。最近開発された光ディスクとしてＤＶＤが知られている。
【０００３】
ＤＶＤは、従来のＣＤと比べて直径は１２０ｍｍと同一であるが、ピット長やトラック間隔を小さくして記録密度を格段に向上して４．７ＧＢの情報量を記録、再生可能となっている。
【０００４】
ＤＶＤにおいて、ＣＤと比較して約半分のピット長の記録情報を読み取るためには、ビームスポットが十分に絞り込まれた光が必要となる。このため、記録、再生に用いられるレーザビームの波長は、ＣＤでは７８０ｎｍであるのに対して、ＤＶＤでは６５０ｎｍであり、また、開口数もＣＤの０．４５に対して、ＤＶＤでは０．６のものが使用されている。
【０００５】
ところで、上記のようなＤＶＤの記録情報を読み取るための光ピックアップ装置は、ＣＤの記録情報も読み取れるように互換性を備えていることが要望されている。このため、光ピックアップ装置において、レーザ光を出射する光源としては、ＤＶＤの記録情報読み取りに対応できる波長６５０ｎｍのレーザ光を得られるものが必要となる。また、このレーザ光を、ＤＶＤの記録情報読み取りのためにスポットが十分に小さなビームとするための光学系が必要となる。
【０００６】
一方、ＣＤの記録情報の読み取りに関しては、追記可能なＣＤ−Ｒの記録情報読み取りに対応できる７８０ｎｍのレーザ光波長を得られるものが必要となる。同時に、このレーザ光によりＣＤの記録情報読み取るための光学系が必要となる。
【０００７】
一般に、ＤＶＤ、ＣＤ互換型の光ピックアップ装置は、波長６５０ｎｍのレーザ光を出射するＤＶＤ用の第１光源と、波長７８０ｎｍのＣＤ用のレーザ光を出射する第２光源と、を備えている。
【０００８】
第１光源から出射された光ビームは、例えば、波長選択性を有するダイクロ膜により構成されたビームスプリッタを透過し、コリメータレンズ、立上げミラー、ダイクロイックフィルタ、対物レンズを通って光ディスクの記録面に集束照射される。そして、光ディスクの記録面で反射された反射光は、対物レンズ、ダイクロイックフィルタ、立上げミラー、コリメータを通り、ビームスプリッタを透過して第１ホログラムに入射する。この入射光は、第１ホログラムで回折されて第１光検出器に到達し、光ディスクの反射光の検出が行われる。第１光源、第１光検出器、第１ホログラムは、第１ユニットとしてユニット化されている。
【０００９】
一方、ＣＤ用の第２光源から出射された光ビームは、ビームスプリッタで反射され、コリメータレンズ、立上げミラー、ダイクロイックフィルタ、対物レンズを通って光ディスクの記録面に集束照射される。
【００１０】
そして、光ディスクの記録面で反射された反射光は、対物レンズ、ダイクロイックフィルタ、立上げミラー、コリメータレンズを通り、ビームスプリッタで反射して第２ホログラムに入射する。入射光は、第２ホログラムで回折されて第２光検出器に到達し、光ディスクの反射光として検出される。第２光源、第２検出器、および第２ホログラムは、第２ユニットとしてユニット化されている。
【００１１】
対物レンズに隣接して設けられたダイクロイックフィルタは円形状のダイクロ膜を有し、光源の波長に応じて開口数を光ディスクの再生に最適な値に調整する。また、ＤＶＤの基板厚は０．６mm、ＣＤの基板厚は１．２mmであり、互いに相違している。そのため、ＤＶＤ用の第１光源は、コリメータレンズのほぼ焦点位置に、また、ＣＤ用の第２光源はコリメータレンズの焦点位置よりも内側に、それぞれ配置することにより、ディスク基板厚の違いにより発生する球面収差を補正している。
【００１２】
近年の小型化された光ディスクドライブ装置においては、光ピックアップ装置を光ディスクドライブ装置の対角線方向に移動可能に配置することによって装置の小型化を実現している。すなわち、光ディスクドライブ装置１９には、光ピックアップ装置の対物レンズの中心および光ディスクの中心を通る方向と平行に延びた搬送ガイドが設けられ、光ピックアップ装置は、搬送ガイドに沿って光ディスクの半径方向に搬送可能に装着されている。
【００１３】
また、光ピックアップ装置から延出したフレキシブル基板は、光ディスクドライブ装置の厚み方向にＵ字形に折曲げられ、光ディスクドライブ装置に配置されたコネクタに接続されている。上記光ピックアップ装置は、光ディスクドライブ装置のメカカバーの下方に配置されている。メカカバーには、対物レンズを通り、光ピックアップ装置に移動方向に沿って延びた開口が設けられている。これにより、光ピックアップ装置は、開口部分を除いて、メカカバーにより覆われ、外部から隠れた位置に配置されている。
【００１４】
【発明が解決しようとする課題】
上記のように構成された光ピックアップ装置を小型化された光ディスクドライブ装置に適用した場合、以下のような問題が生じる。すなわち、上記光ピックアップ装置が、光ディスクドライブ装置の対角線方向に沿って、光ディスクの最外周まで移動した際、光ピックアップ装置の一部が光ディスクドライブ装置からはみ出すという問題がある。
【００１５】
そして、光ピックアップ装置を、光ディスクの最外周位置においても光ディスクドライブ装置からはみ出すことのないように設計した場合、対物レンズの焦点距離が短くなり、対物レンズ６と光ディスク１６の間の距離が小さくなる。その結果、対物レンズと光ディスクとが接触して損傷する等の恐れがあり、光ディスクドライブ装置の信頼性が低下するという問題点がある。
【００１６】
また、一般に、ＤＶＤ用の第１光源は、部品の信頼性の観点から程よく冷却する必要がある。しかし、従来の構成では、第１光源はメカカバーの下方に配置されるため、空気の対流が悪く、冷却されにくい。そのため、第１光源の温度が上昇し、第１光源の信頼性が低下するという問題点がる。
【００１７】
この発明は以上の点に鑑みなされたもので、その目的は、対物レンズと光ディスクとの間の距離を小さくすることなく、小型化が可能な光ディスクドライブ装置を提供することにある。また、この発明の目的は、光源を効率良く冷却でき、光源の信頼性向上を図ることが可能な光ディスクドライブ装置を提供することにある。
【００１８】
【課題を解決するための手段】
上記目的を達成するため、この発明に係る光ディスクドライブ装置は、ほぼ矩形状のベースと、上記ベースのほぼ中央部に設けられ、光ディスクを支持および回転駆動する駆動部と、上記ベース上に設けられた光ピックアップ装置と、を備え、  上記光ピックアップ装置は、上記光ディスクの中心と上記ベースの１つのコーナ部とを通る、上記ベースの対角線方向に沿って移動自在に支持されたキャリッジと、上記キャリッジ上に設けられ、上記光ディスクに照射する光ビームを出射する光源と、対物レンズを含み、上記光源から出射される光ビームを上記光ディスクの記録面に集束照射し、かつ上記記録面からの反射光を上記光ビームの進行方向と逆方向に通過させる光学系と、上記光ディスクからの反射光を検出する光検出器と、上記キャリッジから上記キャリッジの移動方向に沿って延出したフレキシブルプリント回路基板と、を備えている。
【００１９】
上記キャリッジは、上記ベースのコーナ部とほぼ一致した形状を有し上記キャリッジが上記光ディスクの外周部に移動した際に上記ベースのコーナ部とほぼ重なって位置する突出部を備え、上記突出部は、上記フレキシブルプリント回路基板と対向した切り欠きを有し、上記光源は、上記突出部上に設けられていることを特徴としている。
【００２０】
この発明に係る光ディスクドライブ装置によれば、上記キャリッジの突出部は、上記対物レンズを通り、キャリッジの移動方向と直交する線分からなる斜辺と、互いに直交した他の２辺とを有したほぼ直角三角形状に形成されていることを特徴としている。
【００２１】
上記のように構成された光ディスクドライブ装置によれば、キャリッジが光ディスクの最外周部に移動した場合でも、突出部がベース部のコーナ部と重なって位置し、ベースから飛出すことがない。そして、光源および光学系をスペースロスなく配置でき、光ディスクと対物レンズとの距離を十分に確保した状態で、装置全体の小型化を図ることができる。
【００２３】
この発明の光ディスクドライブ装置において、上記光源は、上記対物レンズを通り上記移動方向に延びた線分に対して、５ｍｍ以内の距離に設けられていることを特徴としている。
【００２４】
また、この発明の光ディスクドライブ装置は、上記キャリッジを覆って上記ベース上に設けられたカバーを備え、上記カバーは、上記対物レンズの移動路と対向して設けられた開口を有していることを特徴としている。
【００２５】
上記構成の光ディスクドライブ装置によれば、光源は、キャリッジの移動方向に沿って対物レンズと並んで設けられていることから、カバーが設けられている場合でも、カバーの開口にほぼ対向して位置している。従って、光源は、光ディスクの回転により発生する空気の強制対流により、開口を通して効率よく冷却され、適当な温度に維持される。これにより、光源の信頼性が向上する。
【００２７】
更に、この発明に係る光ディスクドライブ装置は、ほぼ矩形状のベースと、上記ベースのほぼ中央部に設けられ、第１又は第２光ディスクを選択的に支持および回転駆動する駆動部と、上記ベース上に設けられた光ピックアップ装置と、上記キャリッジから上記キャリッジの移動方向に沿って延出したフレキシブルプリント回路基板と、を備え、
上記光ピックアップ装置は、上記光ディスクの中心と上記ベースの１つのコーナ部とを通る、上記ベースの対角線方向に沿って移動自在に支持されたキャリッジと、上記キャリッジ上に設けられ、上記第１光ディスクに照射する第１波長の第１光ビームを出射する第１光源と、上記第１光ディスクより基板厚が大きい上記第２光ディスクに照射する第２波長の第２光ビームを出射する第２光源と、上記第１および第２光ビームを合成するビームスプリッタと、上記ビームスプリッタから出射する光ビームを上記第１又は第２光ディスクの記録面に集束照射し、かつ上記記録面からの反射光を上記第１および第２光ビームの進行方向と逆方向に通過させる対物レンズと、前記第１および第２光ビームの反射光をそれぞれ検出する第１および第２光検出器と、を備えている。
【００２８】
そして、上記キャリッジは、上記ベースのコーナ部とほぼ一致した形状を有し上記キャリッジが上記光ディスクの外周部に移動した際に上記ベースのコーナ部とほぼ重なって位置する突出部を備え、上記突出部は、上記フレキシブルプリント回路基板と対向した切り欠きを有し、上記第２光源は上記第２光ビームの出射方向が、上記キャリッジの移動方向と直交する方向となるように配置され、上記第１光源は、上記突出上に設けられているとともに、上記第１光ビームの出射方向が上記搬送方向と直交する方向に対して約４５°をなすように配置されていることを特徴としている。
【００２９】
上記構成の光ディスクドライブによれば、第１光源１を、その光軸がキャリッジの移動方向と直交する方向に対して約４５°の角度をなす位置に配置することにより、対物レンズの焦点距離を小さくすることなく第１光源を配置することができ、対物レンズと光ディスクとの間の距離を十分に確保し、対物レンズと光ディスクとの接触等を防止することができる。従って、光ディスクドライブ装置の信頼性向上を図ることが可能となる。
【００３０】
【発明の実施の形態】
以下、図面を参照しながら、この発明の実施の形態に係る光ピックアップ装置を備えた光ディスクドライブ装置について詳細に説明する。
図１に示すように、光ディスクドライブ装置は、ベースフレームとして機能するほぼ矩形状のトレイ２０を備えている。トレイ２０のほぼ中央にはターンテーブル２２が設けられ、このターンテーブル２２には光ディスク１６として、ＤＶＤディスク（第１光ディスク）あるいはＣＤ（第２光ディスク）が選択的に載置される。ターンテーブル２２の下方には、ターンテーブルと共に光ディスク１６を回転駆動する図示しないスピンドルモータが配置されている。これらターンテーブル２２およびスピンドルモータは、この発明における駆動部として機能する。
【００３１】
トレイ２０上には、光ピックアップ装置１７が設けられ、トレイ２０の対角線方向に沿って、すなわち、光ディスク１６の中心とトレイ２０の１つのコーナ部２０ａとを結ぶ方向Ｄに沿って、往復移動自在に支持されている。トレイ２０上には、上記の方向Ｄとそれぞれ平行に延びた一対のガイドレール１８ａ、１８ｂが取り付けられている。そして、光ピックアップ装置１７は、これらのガイドレース１８ａ、１８ｂに沿って摺動自在に支持されている。
【００３２】
図１ないし図４に示すように、光ピックアップ装置１７は、ほぼ板状に形成されたキャリッジ１２を有し、このキャリッジ１２は、その両端部がそれぞれガイドレール１８ａ、１８ｂと係合し摺動自在に支持されている。光ピックアップ装置１７はＤＶＤ、ＣＤ互換型として構成され、キャリッジ１２上には、波長６５０ｎｍのレーザ光を出射するＤＶＤ用の第１光源１、波長７８０ｎｍのＣＤ用のレーザ光を出射する第２光源８、光ディスク１６に対向した対物レンズ６、およびその他の光学系等が設けられている。
【００３３】
図２ないし図４に示すように、第１光源１から出射する光ビームは、例えば波長選択性を有するダイクロ膜２aにより構成されたビームスプリッタ２に入射し、反射角（θ／２）が約２２．５°で反射され、コリメータレンズ３、立上げミラー４、ダイクロイックフィルタ５、対物レンズ６を通って光ディスク１６の記録面に集束照射される。
【００３４】
光ディスク１６の記録面で反射された反射光は、対物レンズ６、ダイクロイックフィルタ５、立上げミラー４、コリメータ３を通り、ビームスプリッタ２で反射して第１ホログラム１０に入射する。そして、入射光は第１ホログラム１０で回折されて第１光検出器７に到達し、この第１光検出器７により、光ディスク１６からの反射光が検出される。
【００３５】
第１光源１、第１光検出器７、第１ホログラム１０はユニット化され、第１ユニット１３を構成している。第１ユニット１３は、第１光源１から第１ホログラム１０に向かって幅が小さくなる形状を有している。例えば、第１ユニット１３の第１光源１側の１辺は、これと平行な第１ホログラム１０側の１辺の２倍以上の長さを有している。
【００３６】
ここで、キャリッジ１２は、図２に２点鎖線で示すように、キャリッジ１２の移動方向Ｄと直交しているとともに対物レンズ６を通る線分を斜辺ａとするほぼ直角三角形形状の突出部２４を有し、直交する２辺ｂ、ｃによって規定されている、突出部の直角部分２４ａは、斜辺ａに対して、トレイ２０のコーナ部２０ａ側に位置している。
【００３７】
そして、第１ユニット１３は、キャリッジ１２の突出部２４上において直角部分２４ａに隣接して設けられているとともに、第１光源１側の１辺が突出部２４の１辺ｂと平行に位置し、その光軸が、突出部２４の１辺ｂとほぼ直交して延びるように配置されている。また、第１ユニット１３の光軸は、斜辺ａに対して４５°の角度θを成している。更に、第１光源１は、対物レンズ６に対して、キャリッジ１２の移動方向Ｄに並んで位置し、特に、対物レンズを通り移動方向Ｄに延びる線分Ｈ（図１参照）に対して、５ｍｍ以内の距離に設けられている。
【００３８】
一方、図２および図４に示すように、第２光源８から出射する波長７８０ｎｍの光ビームは、ビームスプリッタ２を透過してコリメータレンズ３、立上げミラー４、ダイクロイックフィルタ５、対物レンズ６を通って光ディスク１６の記録面に集束照射される。光ディスク１６の記録面で反射された反射光は、対物レンズ６、ダイクロイックフィルタ５、立上げミラー４、コリメータ３を通り、ビームスプリッタ２を透過して第２ホログラム１５に入射する。
【００３９】
入射光は第２ホログラム１５で回折されて第２光検出器９に到達し、この第２光検出器９により、光ディスク１６からの反射光が検出される。第２光源８、第２光検出器９、第２ホ口グラム１５はユニット化され、第２ユニット１４を構成している。第２ユニット１４は、第２光源８から第２ホログラム１５に向かって幅が小さくなる形状を有している。例えば、第２ユニット１４の第２光源８側の１辺は、これと平行な第２ホログラム１５側の１辺の２倍以上の長さを有している。そして、この第２ユニット１４は、その光軸が、キャリッジ１２の移動方向Ｄと直交しているとともの前述した直角三角形の斜辺ａとほぼ一致した状態に配置されている。
【００４０】
なお、ダイクロイックフィルタ５は円形状のダイクロ膜を有し、第１および第２光源１、８から出射された光ビームの波長に応じて対物レンズ６の開口数を光ディスク１６の再生に最適な値に調整する。
【００４１】
また、ＤＶＤディスクの基板厚は０．６ｍｍ、ＣＤディスクの基板厚は１．２ｍｍであり、互いに異なるため、ＤＶＤ用の第１光源１は、コリメータレンズ３のほぼ焦点位置に、ＣＤ用の第２光源２は、コリメータレンズ３の焦点位置よりも内側に配置されている。これにより、ディスク基板厚の違いにより発生する球面収差を補正して良好な再生特性を得ている。
【００４２】
また、光ピックアップ装置１７にはフレキシブルプリント回路基板（以下ＦＰＣと称する）１１が装着されている。このＦＰＣ１１は、キャリッジ１２の下面側に接続され、キャリッジ１２の第２ユニット１４近傍から移動方向Ｄに沿って延出している。キャリッジ１２において、突出２４の１辺ｃ部分には、ＦＰＣ１１とキャリッジ１２との干渉を防止するための切り欠き２６が形成されている。
【００４３】
上記構成のキャリッジ１２が光ディスクドライブ装置のトレイ２０上に装着された状態において、キャリッジ１２はガイドレール１８ａ、１８ｂにより支持され、図１に実線で示す最内周位置と２点鎖線で示す最外周位置との間をトレイ２０の対角線方向、つまり、移動方向Ｄに沿って往復移動自在となっている。この場合、キャリッジ１２上の対物レンズ６は、キャリッジ１２の移動に伴い、移動方向Ｄに沿って、かつ、光ディスク１６の半径方向に沿って移動する。
【００４４】
また、キャリッジ１２の突出部２４は、対物レンズ６とトレイ２０のコーナ部２０ａとの間に位置している。そして、キャリッジ１２が、図１に２点鎖線で示す最外周位置まで移動した際、キャリッジ１２の突出部２４はトレイ２０のコーナ部２０ａにほぼ重なって位置し、突出部２４の直交する２辺ｂ、ｃは、それぞれトレイ２０の直交する２辺とほぼ平行に隣接対向した状態となる。
【００４５】
キャリッジ１２から延出したＦＰＣ１１は、光ディスクドライブ装置の厚み方向にＵ字型に曲げられ、トレイ２０上に設けられたコネクタ２１に接続されている。これにより、ＦＰＣ１１は、キャリッジ１２と光ディスクドライブ装置との間で電源の供給や信号の伝達を電気的に行う。
【００４６】
そして、上記構成の光ピックアップ装置１７は、光ディスクドライブ装置のメカカバー３０によって覆われ、トレイ２０とメカカバー３０との間に配置されてる。メカカバー３０には、キャリッジ１２の移動方向Ｄに沿って延びた細長い矩形状の開口３２が形成されている。この開口３２は、対物レンズ６の移動路と対向して設けられ、対物レンズ６は開口３２を介して露出している。光ピックアップ装置１７の開口３２と対向する部分以外は、メカカバー３０によって覆われ、外部からのアクセスが防止されている。
【００４７】
以上のように構成された光ディスクドライブ装置によれば、光ピックアップ装置１７のキャリッジ１２は突起部２４を有し、この突出部の外形がトレイ２０のコーナ部２０ａの外形と平行となるため、光ピックアップ装置１７が光ディスク１６の最外周部に移動した場合でもトレイ２０からはみ出すことがない。
【００４８】
また、光ピックアップ装置１７の第１ユニット１３は、第１光源１から第１ホログラム１０に向かって幅が小さくなる形状を有し、かつ、キャリッジ１２の突出部２４に配置されるため、各構成部材のスペースロスが少なくなり、光ピックアップ装置１７全体の小型化を図ることができる。
【００４９】
更に、第１光源１を、その光軸がコリメータ３の光軸に対して約４５°の角度θをなす位置に配置することにより、コリメータ３と第１光源１との距離を長くとることができる。これより、対物レンズ６の焦点距離を小さくすることなく、光源１を配置することができ、対物レンズ６と光ディスク１６の間の距離を十分に確保し、対物レンズと光ディスクとの接触等を防止することができる。従って、光ディスクドライブ装置の信頼性向上を図ることが可能となる。
【００５０】
また、光ピックアップ装置１７が光ディスクドライブ装置に装着された状態において、第１光源１は、メカカバー３０の開口３２と対向して位置する。そのため、第１光源１は、光ディスク１６の回転により発生する空気の強制対流によって効率よく冷却することができる。従って、第１光源１を適当な温度に維持でき、光源の信頼性が向上する。
【００５１】
なお、この発明は上述した実施の形態に限定されることなく、この発明の範囲内で種々変形可能である。例えば、キャリッジの突出部は、キャリッジが光ディスクの最外周部に移動した際、トレイのコーナ部と重なって位置する直角部分を備えていればよく、上述した直角三角形に限らず、矩形状等の他の形状としてもよい。
【００５２】
また、上記実施例では第１および第２光源を備えたＤＶＤ、ＤＣ互換型の光ディスクドライブ装置について説明したが、この発明は、第１光源のみを備えたＤＶＤ専用あるいはＣＤ専用の光ディスクドライブ装置に適用することもできる。
【００５３】
【発明の効果】
以上詳述したように、この発明によれば、対物レンズと光ディスクのと間の距離を十分に確保して信頼性の向上を図れるとともに、装置全体の小型化が図れ、また、光ディスクの回転による空気の強制対流によって光源を効率よく冷却し、光源の信頼性が向上した光ディスクドライブ装置を提供することができる。
【図面の簡単な説明】
【図１】この発明の実施の形態に係る光ディスクドライブ装置を示す平面図。
【図２】上記光ディスクドライブ装置における光ピックアップ装置の平面図。
【図３】図２の線Ａ−Ａに沿った断面図。
【図４】図２の線Ｂ−Ｂに沿った断面図。
【符号の説明】
１…第１光源
２…ビームスプリッタ
３…コリメータ
６…対物レンズ
１１…ＦＰＣ
１２…キャリッジ
１３…第１ユニット
１４…第２ユニット
１６…光ディスク
１７…光ピックアップ装置
１８ａ、１８ｂ…ガイドレール
２０…トレイ
２０ａ…コーナ部
２４…突出部
２４ａ…直角部
２６…切り欠き
３２…開口
ａ…斜辺
【図１】
0003822401.tif 000002
【図２】
0003822401.tif 000003
【図３】
0003822401.tif 000004
【図４】
0003822401.tif 000005